(57)【要約】【課題】足先を安定して保持し、効果的な足裏の指圧マッサージを施すことができるマッサージ機を提供する。【解決手段】椅子のシート部前方に、被施療者の脚部をマッサージする脚部用マッサージユニットを配備し、脚部用マッサージユニットの先端に被施療者の足先をマッサージする足先用マッサージユニットを連繋してなるマッサージ機において、足先用マッサージユニットは、対向する２つの側壁の間に上面と前後両端が開口して形成される凹部と、該凹部の一方の側壁面にのみ配置され膨張及び収縮可能な側面エアバックと、凹部の底面に配置され指圧子駆動手段により出没する指圧子とを具え、側面エアバックを膨張させて、側面エアバックと側面エアバックが形成されていない側壁面によって足先を挟んだ状態で、指圧子駆動手段の動作させて指圧子を出没させることにより、被施療者の足裏をマッサージするようにした。【選択図】　　　図２
2004129896.tif 000002
【特許請求の範囲】
【請求項１】
椅子のシート部前方に、被施療者の脚部をマッサージする脚部用マッサージユニットを配備し、脚部用マッサージユニットの先端に被施療者の足先をマッサージする足先用マッサージユニットを連繋してなるマッサージ機において、
足先用マッサージユニットは、
対向する２つの側壁の間に上面と前後両端が開口して形成される凹部と、
該凹部の一方の側壁面にのみ配置され膨張及び収縮可能な側面エアバックと、
凹部の底面に配置され指圧子駆動手段により出没する指圧子とを具え、
側面エアバックを膨張させて、側面エアバックと側面エアバックが形成されていない側壁面によって足先を挟んだ状態で、指圧子駆動手段の動作させて指圧子を出没させることにより、被施療者の足裏をマッサージするようにしたことを特徴とするマッサージ機。
【請求項２】
足先用マッサージユニットの側面エアバックが配置されていない側壁面には、側面エアバックを膨張させたときに、被施療者の足先が埋没する程度の弾力性を有する弾性部材が配備される請求項１に記載のマッサージ機。
【請求項３】
足先用マッサージユニットの凹部は、上開口面を縮小させる狭隘部を有する請求項１又は請求項２に記載のマッサージ機。
【請求項４】
足先用マッサージユニットの側面エアバックが配置されていない側壁面は、凹部の幅が開口側に向けて狭くなるように傾斜している請求項３に記載のマッサージ機。
【請求項５】
足先用マッサージユニットの指圧子駆動手段は底面エアバックであり、被施療者の足裏に指圧を施す指圧子が突設されている請求項１乃至請求項４の何れかに記載のマッサージ機。
【請求項６】
足先用マッサージユニットの指圧子は、凹部の幅方向に長く、凹部の長さ方向に短い形状である請求項５に記載のマッサージ機。
【請求項７】
足先用マッサージユニットの指圧子は、底面エアバックに熱圧着されて、一体となっている請求項５又は請求項６に記載のマッサージ機。
【請求項８】
脚部用マッサージユニットは、
対向する２つの側壁の間に上面と前後両端が開口して形成される凹部と、
該凹部の一方の側壁面にのみ配置され膨張及び収縮可能な側面エアバックと、
凹部の底面に配置され指圧子駆動手段により出没する指圧子とを具え、
側面エアバックを膨張させて、側面エアバックと側面エアバックが形成されていない側壁面によって脚部を挟んだ状態で、指圧子駆動手段を動作させて指圧子を出没させることにより、被施療者のふくらはぎをマッサージするようにしたものである請求項１乃至請求項７の何れかに記載のマッサージ機。
【発明の詳細な説明】
【０００１】
【発明の属する技術分野】
本発明は、被施療者の足先、特に足裏に好適なマッサージを施すマッサージユニットに関するものである。
【０００２】
【従来の技術】
被施療者が腰掛けてマッサージを受ける椅子型のマッサージ機に、被施療者のふくらはぎをマッサージする脚部用のマッサージユニットと、被施療者の足裏をマッサージする足先用のマッサージユニットとを配置したものがある（例えば、特許文献１参照）。
特許文献１の脚部用マッサージユニット及び足先用マッサージユニットは、夫々被施療者の脚部又は足先を挿入できる形状に形成された凹部を具え、脚用マッサージユニットは、凹部の側壁面に夫々エアバックを配置し、エアバックの膨張と収縮を繰り返すことにより、脚部をマッサージする。また、足先用マッサージユニットは、足裏の当たる部分のみにエアバックを配置し、該エアバックの膨張と収縮を繰り返すことにより、足裏をマッサージする。
【０００３】
【特許文献１】
特開２００１−９５８６７号公報（第３−８頁、第１図）
【０００４】
【発明が解決しようとする課題】
しかしながら、足先用マッサージユニットの足裏が当たる部分のみにエアバックを配置した方式では、エアバックを膨張させたときに、足先（以下、足先とは「足のくるぶしよりも下の部分」をいう）がエアバックに押されて浮き上がってしまうことがあり、効率の良いマッサージ効果が得られない。
足先の浮き上がりを防止するために、図１１に示すように、凹部（８２）の両側面に夫々エアバック（８３）（８３）を配置し、エアバック（８３）（８３）を膨張させて足先（９９）を両側から挟んだ状態で、足裏の指圧マッサージを施すこともできるが、このような方式とした場合、凹部（８２）に収容されたときの足先（９９）の位置が不適切であると、エアバック（８３）（８３）が膨張したときに、両側のエアバック（８３）（８３）からの力によって足先（９９）が押し出されてしまうことがあり、効率の良いマッサージ効果が得られない。
また、この状態で指圧子（９５）による指圧マッサージを施しても、足先は安定して保持されていないから、指圧子が足裏に十分に届かず、効果の高いマッサージを施すことは困難であった。
【０００５】
足先を安定して保持するために、エアバックをより膨張力の大きいものに変えると、足先への圧迫が強くなりすぎて、皮膚感度が低下し、指圧子による指圧マッサージ効果が却って低下する（効き目が薄れる）問題があった。
【０００６】
本発明の目的は、足先を安定して保持し、効果的な足裏の指圧マッサージを施すことができるマッサージ機を提供することである。
【０００７】
【課題を解決するための手段】
上記課題を解決するために、本発明のマッサージ機は、
椅子のシート部前方に、被施療者の脚部をマッサージする脚部用マッサージユニットを配備し、脚部用マッサージユニットの先端に被施療者の足先をマッサージする足先用マッサージユニットを連繋してなるマッサージ機において、
足先用マッサージユニットは、
対向する２つの側壁の間に上面と前後両端が開口して形成される凹部と、
該凹部の一方の側壁面にのみ配置され膨張及び収縮可能な側面エアバックと、
凹部の底面に配置され指圧子駆動手段により出没する指圧子とを具え、
側面エアバックを膨張させて、側面エアバックと側面エアバックが形成されていない側壁面によって足先を挟んだ状態で、指圧子駆動手段の動作させて指圧子を出没させることにより、被施療者の足裏をマッサージするようにした。
【０００８】
足先用マッサージユニットの側面エアバックが配置されていない側壁面には、側面エアバックを膨張させたときに、被施療者の足先が埋没する程度の弾力性を有する弾性部材を配備した。
【０００９】
さらに、凹部には、上開口面を縮小させる狭隘部を有することが望ましい。
【００１０】
【作用及び効果】
凹部の一方の側壁面にのみ側面エアバックを配備した構成では、側面エアバックを膨張させたとき、足先は、側面エアバックの力によって他方の側壁面に押しつけられるため、側面エアバックと側壁面に挟まれて安定して保持される。この状態で、指圧子駆動手段を動作させて指圧子を出没させることにより、効果的な足裏マッサージを施すことができる。
【００１１】
また、側面エアバックが配備されていない側の側壁面に、適当な弾性力を有する弾性部材を配置することによって、側面エアバックを膨張させたときに、弾性部材に足先が埋没し、足先をより安定して保持することができる。
【００１２】
さらに、凹部の上面開口に狭隘部を形成し、開口側を狭くすると、側面エアバックを膨張させたときに、足先が凹部から押し出されることは確実に防止される。
【００１３】
【発明の実施の形態】
脚部用マッサージユニット（１０）は、椅子型マッサージ機（７０）のシート部（７２）の前方に配置され、足先用マッサージユニット（８０）は、脚部用マッサージユニット（１０）の先端に配置される。椅子型マッサージ機（７０）は公知のものを用いることができる。例えば、椅子型マッサージ機（７０）として、図１及び図２に示すように、椅子の背凭れ部（７４）に左右一対の施療指（７６）（７６）を有するマッサージ機構（７５）を配置したものを挙げることができる。マッサージ機構（７５）は、背凭れ部（７４）に沿って上下に昇降可能であり、施療指（７６）（７６）を互いに接近離間して被施療者に揉みマッサージを施したり、上下に揺動して叩きマッサージを施すことができる。
【００１４】
脚部用マッサージユニット（１０）
マッサージ機（７０）のシート部（７２）には、連結フレーム（１４）を介して、回動自在且つ位置決め可能に脚部用マッサージユニット（１０）が配備される。
【００１５】
脚部用マッサージユニット（１０）は、図３に示すように、ユニット筺体（１２）に被施療者の脚部（ふくらはぎ）を挿入する一対の凹部（２０）（２０）を形成し、凹部（２０）（２０）の各々に側面エアバック（３０）と指圧子駆動手段（４０）を配備して形成される。なお、以下では、指圧子駆動手段として、底面エアバック（４０）を用いた例について説明するが、指圧子駆動手段はこれに限定されず、例えば、モータ等で駆動する機構としてもよい。
ユニット筺体（１２）は、凹部（２０）（２０）の底面（２６）（２６）を構成する底壁（１５）と、該底壁（１５）の両端から上方に向けて平行に形成された第１側壁（１６）（１６）と、該第１側壁（１６）（１６）の間に第１側壁（１６）（１６）と対向するよう突設された第２側壁（１８）とを具える。ユニット筺体（１２）は樹脂等によって形成することができる。底壁（１５）には、マッサージ機（７０）に連繋する連結フレーム（１４）が形成されている。
凹部（２０）は、第１側壁（１６）、第２側壁（１８）及び底壁（１５）によって形成され、凹部の上面、前後両端は開口している。
【００１６】
凹部（２０）には、第１側壁（１６）又は第２側壁（１８）の側壁面の一方又は両方に側面エアバック（３０）が配備される。なお、図３では、夫々外側に位置する第１側壁（１６）の側壁面（２２）に沿うように側面エアバック（３０）が取り付けられている。また、他方の側壁面（２４）（図３では第２側壁（１８）の側壁面）には後述する弾性部材（５０）が張り付けられている。
【００１７】
側面エアバック（３０）は、ポリエチレン等から構成することができる。側面エアバック（３０）は、側壁面（２２）に完全に接着等を施すと、膨張、収縮の際に側面エアバック（３０）の接着部分に応力が生じてしまうことがある。従って、図６に示すように、可撓性のベルト（３２）と側面エアバック（３０）を一体に成形し、ベルト（３２）の先端をユニット筺体（１２）にネジ止め等して取り付けることが望ましい。
側面エアバック（３０）は、チューブ（３４）（図６参照）を介してエアポンプ（図示せず）に接続され、エアポンプからの空気の供給を受けて膨張する。
【００１８】
弾性部材（５０）は、側面エアバック（３０）を膨張させたときに、被施療者の脚部が埋没する程度の弾性力を有するものを用いることが望ましく、ウレタン樹脂やスポンジ、発泡樹脂等から構成することができる。
【００１９】
凹部（２０）（２０）の底面（２６）（２６）には、図３に示すように、底面エアバック（４０）（４０）が取り付けられている。底面エアバック（４０）には、夫々ウレタン樹脂等からなる指圧子（４２）が突設されている。指圧子（４２）は、底面エアバック（４０）と熱圧着することが望ましい。熱圧着によって、指圧子（４２）は柔軟な状態で装着されるので、底面エアバック（４０）が膨張したときに、被施療者の患部に指圧子（４２）の全体がフィットし、患部の一部分のみを押圧するようなことはない。
底面エアバック（４０）もチューブ（４４）（図６参照）を介してエアポンプに接続される。
【００２０】
上記マッサージユニット（１０）は、布カバー（図示せず）で表面を覆い、連結フレーム（１４）を介して図１に示すように、椅子型マッサージ機（７０）に取り付けられる。この布カバーで覆うことにより、側面エアバック（３０）は、側壁面（２２）に接着等しなくても、凹部（２０）内へ倒れることはなく、側壁面（２２）に沿って保持される。
【００２１】
被施療者が椅子型マッサージ機（７０）に腰掛けた状態で、脚部（ふくらはぎ）を凹部（２０）（２０）に夫々挿入した状態で、側面エアバック（３０）を膨張させると、被施療者の脚部（６０）が、図６に示すように、側面エアバック（３０）に押されて、弾性部材（５０）に埋没して、安定した状態となる。従って、側面エアバック（３０）によって脚部（６０）が凹部（２０）から押し出されてしまうこともない。なお、弾性部材（５０）は、柔軟な材質であるため、側面エアバック（３０）と弾性部材（５０）に脚部（６０）が挟まれても、圧迫感もない。
【００２２】
側面エアバック（３０）を膨張させた状態で、底面エアバック（４０）を膨張させると、図６に示すように、指圧子（４２）が脚部（６０）を指圧マッサージする。脚部（６０）は側面エアバック（３０）と弾性部材（５０）に安定的に保持されているので、指圧子（４２）の押圧力によって、脚部（６０）が凹部（２０）から押し出されてしまうこともなく、効果的な指圧マッサージを施すことができる。
なお、指圧子（４２）は、凹部（２０）の幅方向に長い形状とし、底面エアバック（４０）に熱圧着しているから、脚部（６０）に局部的に強い押圧力が加わることがないので、被施療者が痛みを感じることもない。
【００２３】
側面エアバック（３０）と底面エアバック（４０）を一定時間毎に、または、ランダムに膨張、収縮させることによって、脚部（６０）に揉みマッサージ、指圧マッサージを組み合わせたマッサージを施すことができる。
【００２４】
足先用マッサージユニット（８０）
上記脚部用マッサージユニット（１０）の先端には、図１及び図２に示すように、足先用マッサージユニット（８０）が連結されている。足先用マッサージユニット（８０）は、図示省略するリンク機構により、常に水平状態（図１の状態）を維持できるように連結されており、図２に示すように、脚部用マッサージユニット（１０）を揺動させても、足先用マッサージユニット（８０）は水平状態を保つ。従って、図２の状態で、被施療者がマッサージ機（７０）に腰掛けたときに、足を前方に伸ばすことができる。
【００２５】
足先用マッサージユニット（８０）は、図４に示すように、ユニット筺体（８１）に被施療者の足先（くるぶしよりも下の部分）を挿入する一対の凹部（８２）（８２）を形成し、凹部（８２）（８２）の各々に側面エアバック（８３）と指圧子駆動手段（８４）を配備して形成される。なお、以下では、指圧子駆動手段として、底面エアバック（８４）を用いた例について説明するが、指圧子駆動手段はこれに限定されず、例えば、モータ等で駆動する機構としてもよい。
ユニット筺体（８１）は、図４及び図５に示すように、凹部（８２）（８２）の底面（８５）（８５）を構成する底壁（８６）と、該底壁（８６）の両端から上方に向けて平行に形成された第１側壁（８７）（８７）と、該第１側壁（８７）（８７）の間に第１側壁（８７）（８７）と対向するよう突設された第２側壁（８８）とを具える。ユニット筺体（８１）は樹脂等によって形成することができる。底壁（８６）には、脚部用マッサージユニット（１０）に連繋する連結フレーム（８９）が形成されている。
凹部（８２）は、第１側壁（８７）、第２側壁（８８）及び底壁（８６）によって形成され、凹部の上面、前後両端は開口している。
【００２６】
凹部（８２）には、第１側壁（８７）又は第２側壁（８８）の側壁面の一方に側面エアバック（８３）が配備される。なお、図４では、夫々外側に位置する第１側壁（８７）の側壁面（９０）に沿うように側面エアバック（８３）が取り付けられている。また、他方の側壁面（９１）（図４では第２側壁（８８）の側壁面）には後述する弾性部材（９２）が張り付けられている。
【００２７】
側面エアバック（８３）は、ポリエチレン等から構成することができる。側面エアバック（８３）は、側壁面（９０）に完全に接着等を施すと、膨張、収縮の際に側面エアバック（８３）の接着部分に応力が生じてしまうことがある。従って、図７に示すように、可撓性のベルト（９３）と側面エアバック（８３）を一体に成形し、ベルト（９３）の先端をユニット筺体（８１）にネジ止め等して取り付けることが望ましい。
側面エアバック（８３）は、チューブ（９４）（図７参照）を介してエアポンプ（図示せず）に接続され、エアポンプからの空気の供給を受けて膨張する。
【００２８】
弾性部材（９２）は、側面エアバック（８３）を膨張させたときに、被施療者の足先が埋没する程度の弾性力を有するものを用いることが望ましく、ウレタン樹脂やスポンジ、発泡樹脂等から構成することができる。
【００２９】
凹部（８２）（８２）の底面（８５）（８５）には、図４に示すように、底面エアバック（８４）（８４）が取り付けられている。底面エアバック（８４）には、夫々ウレタン樹脂等からなる指圧子（９５）が突設されている。指圧子（９５）は、底面エアバック（８４）と熱圧着することが望ましい。熱圧着によって、指圧子（９５）は柔軟な状態で装着されるので、底面エアバック（８４）が膨張したときに、被施療者の患部に指圧子（９５）の全体がフィットし、患部の一部分のみを押圧するようなことはない。
底面エアバック（８４）もチューブ（９４）（図７参照）を介してエアポンプに接続される。
【００３０】
底面エアバック（８４）の上部には、指圧子（９５）の突出する孔（９６）が複数開設された足裏受部（９７）が形成されている。足裏受部（９７）は、凹部（８２）に固定されており、底面エアバック（８４）が収縮した状態で、被施療者が足裏で踏んでも、足裏に強く指圧子（９５）が当たらないようにしている。
【００３１】
上記マッサージユニット（８０）は、布カバー（図示せず）で表面を覆い、連結フレーム（８９）（図４参照）を介して図１及び図２に示すように、脚部用マッサージユニット（１０）に取り付けられる。この布カバーで覆うことにより、側面エアバック（８３）は、側壁面（９０）に接着等しなくても、凹部（８２）内へ倒れることはなく、側壁面（９０）に沿って保持される。
【００３２】
被施療者が椅子型マッサージ機（７０）に腰掛け、脚部（ふくらはぎ）を前述の脚部用マッサージユニット（１０）に挿入し、足先を足先用マッサージユニット（８０）の凹部（８２）（８２）に夫々挿入した状態で、側面エアバック（８３）を膨張させると、被施療者の足先（９９）が、図７に示すように、側面エアバック（８３）に押されて、弾性部材（９２）に埋没して、安定した状態となる。従って、側面エアバック（８３）によって足先（９９）が凹部（８２）から押し出されてしまうこともない。なお、弾性部材（９２）は、柔軟な材質であるため、側面エアバック（８３）と弾性部材（９２）に足先（９９）が挟まれても、圧迫感もない。
【００３３】
側面エアバック（８３）を膨張させた状態で、底面エアバック（８４）を膨張させると、図７に示すように、指圧子（９５）が足裏を指圧マッサージする。足先（９９）は側面エアバック（８３）と弾性部材（９２）に安定的に保持されているので、指圧子（９５）の押圧力によって、足先（９９）が凹部（８２）から押し出されてしまうこともなく、効果的な指圧マッサージを施すことができる。
なお、指圧子（９５）は、凹部（８２）の幅方向に長い形状とし、底面エアバック（８４）に熱圧着しているから、足裏に局部的に強い押圧力が加わることがないので、被施療者が痛みを感じることもない。
【００３４】
側面エアバック（８３）と底面エアバック（８４）を一定時間毎に、または、ランダムに膨張、収縮させることによって、足先に揉みマッサージ、指圧マッサージを組み合わせたマッサージを施すことができる。
【００３５】
図８及び図９を用いて、本発明のマッサージ機により脚部（６０）及び足先（９９）をマッサージする実施例について説明する。
脚部（６０）の指圧マッサージを行なう場合には、図８に示すように、足先用マッサージユニット（８０）の側面エアバック（８３）を膨張させて、足先（９９）を保持させた状態で、脚部用マッサージユニット（１０）の底面エアバック（４０）を膨張、収縮させて、脚部（６０）の指圧マッサージを行なうことができる。この場合、上述したように、脚部用マッサージユニット（１０）の側面エアバック（３０）を膨張させて脚部（６０）を保持しなくても、被施療者の身体とマッサージ機（７０）のシート部（７２）との間に作用する摩擦力と、足先（９９）の保持により、被施療者の脚部（６０）が脚部用マッサージユニット（１０）から逃げることはない。従って、被施療者は脚部（６０）を側面エアバック（３０）によって圧迫されることなく、開放感のある指圧マッサージを受けることができる。
【００３６】
図９は、脚部用マッサージユニット（１０）と足先用マッサージユニット（８０）を組み合わせた指圧マッサージを行なう実施例である。足先用マッサージユニット（８０）の側面エアバック（８３）を膨張させて、足先（９９）を保持させた状態で、図９に示すように、脚部用マッサージユニット（１０）の任意の底面エアバック（４０）と、足先用マッサージユニット（８０）の任意の底面エアバック（８４）を同時に膨張させることによって、ふくらはぎと足裏の両方に好適な指圧マッサージを行なうことができる。また、例えば、脚部用マッサージユニット（１０）の足先側に位置する底面エアバック（４０）と、足先用マッサージユニット（８０）のつま先側に位置する底面エアバック（８４）を同時に膨張させると、足先（９９）が持ち上げられた状態で脚部（ふくらはぎ）（６０）が指圧されるので、アキレス腱のストレッチ効果を得ることができる。
上述のように、底面エアバック（４０）（８４）の膨張、収縮を組み合わせることによって、バリエーションに富んだ指圧マッサージを行なうことができる。
【００３７】
図１０は、足先用マッサージユニット（８０）の異なる実施例を示している。
図１０に示すように、足先用マッサージユニット（８０）は、側面エアバック（８３）と対向する側の側壁面（９１）を、開口側が狭くなるように縮小させてた狭隘部（９１ａ）を具える構成とすることができる。具体的には、狭隘部（９１ａ）は、開口側に向けて突出するように傾斜させている。なお、前記側壁面（９１）だけでなく、側面エアバック（８３）が装着される側の側壁面（９０）も開口側に向けて突出するように傾斜させた狭隘部（９１ａ）を形成してもよい。
このように、凹部（８２）の側壁面（９１）及び／又は側壁面（９０）の開口側に狭隘部（９１ａ）を形成することによって、側面エアバック（８３）を膨張させても、足先が凹部（８２）から押し出されてしまうことはなく、安定して保持することができる。
【００３８】
なお、さらなる足先（９９）の安定保持を図るために、側壁面（９１）に上記実施例と同様に弾性部材（９２）を配備してもよい。
また、狭隘部（９１ａ）の形状は、上記に限定されず、例えば、側壁面（９１）の開口側に突部を形成するようにしてもよい。
さらに、脚部用マッサージユニット（１０）に狭隘部を設けて、脚部も安定して保持できるようにすることがより望ましい。
【００３９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【図面の簡単な説明】
【図１】マッサージユニットを装着した椅子型マッサージ機の斜視図である。
【図２】マッサージユニットを揺動した状態を示すマッサージ機の斜視図である。
【図３】脚部用マッサージユニットの斜視図である。
【図４】足先用マッサージユニットの斜視図である。
【図５】足先用マッサージユニットの足裏受部を取り外した斜視図である。
【図６】脚部用マッサージユニットの断面図である。
【図７】足先用マッサージユニットの足裏受部を取り外した断面図である。
【図８】脚部用及び足先用マッサージユニットによるマッサージを説明する図である。
【図９】脚部用及び足先用マッサージユニットによるマッサージを説明する図である。
【図１０】足先用マッサージユニットの異なる実施例を示す図である。
【図１１】従来の足先用マッサージユニットの断面図である。
【符号の説明】
（１０）　脚部用マッサージユニット
（７０）　マッサージ機
（８０）　足先用マッサージユニット
（８２）　凹部
（８３）　側面エアバック
（８４）　指圧子駆動手段
（９２）　弾性部材
【図１】
2004129896.tif 000003
【図２】
2004129896.tif 000004
【図３】
2004129896.tif 000005
【図４】
2004129896.tif 000006
【図５】
2004129896.tif 000007
【図６】
2004129896.tif 000008
【図７】
2004129896.tif 000009
【図８】
2004129896.tif 000010
【図９】
2004129896.tif 000011
【図１０】
2004129896.tif 000012
【図１１】
2004129896.tif 000013